(57)【要約】【課題】コスト面で有利にできる照明器具を提供する。【解決手段】照明器具１０は、書架１の上方および前向方向に突出するアーム１１と、アーム１１の一端に取り付けられて書架１を照射する灯具１２と、書架１の所定箇所に光軸が向くように灯具１２に配置されるＬＥＤ１５と、ＬＥＤ１５からの光を書架１の間の通路に向けて反射して照射する第１反射板１６と、ＬＥＤ１５からの光を書架１に向けて反射して照射する第２反射板１７とを備える。【選択図】図３
2012094300.tif 000002
【特許請求の範囲】
【請求項１】
書架の上方および前向方向に突出するアームと、
前記アームの一端に取り付けられて前記書架を照射する灯具と、
前記書架の所定箇所に光軸が向くように前記灯具に配置されるＬＥＤと、
前記ＬＥＤからの光を前記書架の間の通路に向けて反射して照射する第１反射板と、
前記ＬＥＤからの光を前記書架に向けて反射して照射する第２反射板とを備える照明器具。
【請求項２】
請求項１に記載の照明器具において、
前記第１反射板は、パラボラ曲面を有し、前記パラボラ曲面の焦点または前記焦点の近傍位置に前記ＬＥＤが配置される照明器具。
【発明の詳細な説明】
【技術分野】
【０００１】
本発明は、ＬＥＤを光源として書架および書架の間の通路を照射する照明器具に関する。
【背景技術】
【０００２】
従来より、相対向して配置された棚の上端部の前面に、棚の前面の斜め下方を照射する照明灯を取り付けた照明器具が知られている（例えば、特許文献１参照）。
特許文献１に記載の照明器具は、通路の中央部の上方に位置する直管型の蛍光灯を有する照明灯と、棚の上端部の前面に取り付けられた直管型の蛍光灯を有する照明灯とを備える。
【先行技術文献】
【特許文献】
【０００３】
【特許文献１】特開２０００−５７８４２号公報（図１、請求項１）
【発明の概要】
【発明が解決しようとする課題】
【０００４】
前述した特許文献１に記載された照明器具は、通路を挟んで両側にある棚の奥方まで照射して照度むらを少なくし、通路内の作業者によって生じる影を薄くして収納されている書籍や物品を一見して容易に識別することができ、十分な照度を得ながらまぶしさをなくせる。
しかし、前述した特許文献１に記載された照明器具は、通路の中央部の上方に位置する照明灯と、棚の上端部の前面に取り付けられた照明灯とを備えており、それぞれの照明灯が別所に配置されている。
従って、前述した特許文献１に記載された照明器具は、別所への設置工事等により多大な設備投資を必要とすることによりコスト面で不利である。
【０００５】
本発明は、前述した課題を解決するためになされたものであり、その目的は、コスト面で有利にできる照明器具を提供することにある。
【課題を解決するための手段】
【０００６】
本発明に係る照明器具は、書架の上方および前向方向に突出するアームと、前記アームの一端に取り付けられて前記書架を照射する灯具と、前記書架の所定箇所に光軸が向くように前記灯具に配置されるＬＥＤと、前記ＬＥＤからの光を前記書架の間の通路に向けて反射して照射する第１反射板と、前記ＬＥＤからの光を前記書架に向けて反射して照射する第２反射板とを備える。
【０００７】
本発明に係る照明器具は、前記第１反射板は、パラボラ曲面を有し、前記パラボラ曲面の焦点または前記焦点の近傍位置に前記ＬＥＤが配置される。
【発明の効果】
【０００８】
本発明に係る照明器具によれば、コスト面で有利にできるという効果を奏する。
【図面の簡単な説明】
【０００９】
【図１】本発明に係る一実施形態の照明器具の正面図
【図２】本発明に係る一実施形態の照明器具の側面図
【図３】本発明に係る一実施形態の照明器具の一部破断正面図
【図４】本発明に係る一実施形態の照明器具の一部破断側面図
【図５】本発明に係る一実施形態の照明器具の灯具周りの正面から視た垂直断面図
【発明を実施するための形態】
【００１０】
以下、本発明に係る一実施形態の照明器具について図面を参照して説明する。
図１に示すように、本発明に係る一実施形態の照明器具１０は、書架１の上方および前向方向に突出するアーム１１と、アーム１１の先端部に取り付けられて書架１および通路２を照射する灯具１２とを備える。
書架１は、複数段の不図示の棚を有して図１中の手前方向および後方向に長さを有し、所定の幅寸法に設定された通路２を挟んで複数が配列されている。アーム１１は、基端部が書架１の天板（図２参照）３に取り付けられており、先端部が書架１の天板３に対して、３０度〜４５度の角度で延出されている。書架１は、その高さ寸法が人間の平均的な高さ寸法に同等であるために、アーム１１および灯具１２は人間の頭の上方に位置する。書架１の棚に置かれる書籍は通路２側に不図示のラベルが配置されるために、通路２側からラベルが確認される。
【００１１】
図２に示すように、灯具１２は、書架１の長手方向に沿って長さを有し、複数が書架１の長手方向に連結されている。アーム１１は、灯具１２の長手方向の端部に取り付けられている。
【００１２】
図３および図４に示すように、灯具１２は、器具本体１３と、複数のＬＥＤ１５を装備するＬＥＤユニット１４と、第１反射板１６と、第２反射板１７と、前面パネル１８と、不図示の電源装置とを備える。
器具本体１３は、垂直断面視略台形の形状を有し、下方が開口されて書架１の長手方向に沿った長さを有する。器具本体１３は、後板１９がアーム１１の先端部にねじ止めされており、下方の開口部２０に前面パネル１８が取り付けられている。前面パネル１８は、透明や乳白色の樹脂製であって、その内面または外面に光拡散用の不図示の拡散処理部を有する。
【００１３】
ＬＥＤユニット１４は、器具本体１３の長手方向に長さを有し、器具本体１３の長手方向に長さを有するＬＥＤ基板２１に例えば３個のＬＥＤ１５が等間隔に実装されている。ＬＥＤ基板２１は、不図示のプリント回路を有し、プリント回路が電源装置に電気的に接続されている。ＬＥＤ基板２１は、ＬＥＤ１５が書架１の所定箇所に向けて光軸を有するように、器具本体１３に有するユニット台２２に取り付けられている。
【００１４】
第１反射板１６は、平行光束が照射される放物線からなる凹曲面であるパラボラ曲面の第１反射面２３を有しており、器具本体１３のユニット台２２において後板１９側に取り付けられている。第１反射板１６は、パラボラ曲面の第１反射面２３の焦点または焦点の近傍位置にＬＥＤ１５が配置されている。第１反射板１６は第１反射面２３によりＬＥＤ１５からの反射光成分を書架１の間の通路２に向けて反射させる。
【００１５】
第２反射板１７は、第１反射面２３に略対向する第２反射面２４を有しており、器具本体１３のユニット台２２において後板１９の反対側に取り付けられている。第２反射面２４は、第１反射面２３に対して有効な反射特性を有するものとして配光設計に基づいた曲面を有する。第２反射板１７は第２反射面２４によりＬＥＤ１５からの反射光成分を書架１に向けて反射させる。第２反射板１７の第２反射面２４は、ＬＥＤ１５からの光成分を書架１に対する有効な照度に反映できる。
従って、第１反射面２３により反射されたＬＥＤ１５からの反射光成分を書架１の間の通路２に向けて反射して照射する第１反射板１６と、第２反射面２４により反射されたＬＥＤ１５からの反射光成分を書架１に向けて反射して照射する第２反射板１７とが単一の灯具１２に装備されるために、従来のものと比べて、単一構造になるので、多大な設備投資を必要とせずにコスト面で有利にできる。
なお、第２反射板１７は、第２反射面２４が、第１反射板１６と同様にパラボラ曲面を有してもよい。
【００１６】
次に、照明器具１０の光学的な特性について説明する。
図５に示すように、電源装置からの直流電流が供給されることにより、ＬＥＤ１５が発光される。ＬＥＤ１５は、その構造上、光の指向性が高く、高輝度であって低立体角の光源であるために強く細い直射光および放射光を発光する。ＬＥＤ１５からの直射光成分α１は、前面パネル１８に向けて出射され、前面パネル１８を透過することにより、拡散処理部において拡散されて書架１および書架１に間の通路２に向けて出射されて書架１および通路２を照射する。
【００１７】
ＬＥＤ１５から放射光の一部であって第１反射板１６の第１反射面２３に向けて出射されて第１反射面２３により反射された反射光成分α２は、第１反射面２３がパラボラ曲面であるために効率よく反射されてから、前面パネル１８を透過することにより拡散処理部において拡散されて透過されてから、書架１の間の通路２に向けて出射されて通路２を照射する。
従って、第１反射板１６の第１反射面２３により反射されたＬＥＤ１５からの反射光成分α２は、第１反射面２３のパラボラ曲面により書架１の間の通路２に向けて効率よく照射されるために、ＬＥＤ１５からの光を、通路２に対して高い照度で照射できる。
【００１８】
ＬＥＤ１５から放射光の一部であって第２反射板１７の第２反射面２４に向けて出射されて第２反射面２４により反射された反射光成分α３は、前面パネル１８を透過することにより拡散処理部において拡散されて透過されてから、書架１に向けて反射されて書架１を照射する。
【００１９】
以上、説明したように一実施形態の照明器具１０によれば、第１反射面２３により反射されたＬＥＤ１５からの反射光成分α２を書架１の間の通路２に向けて反射して照射する第１反射板１６と、第２反射面２４により反射されたＬＥＤ１５からの反射光成分α３を書架１に向けて反射して照射する第２反射板１７とが単一の灯具１２に装備されるために、従来のものと比べて、単一構造になるので、多大な設備投資を必要とせずにコスト面で有利にできる。
【００２０】
また、一実施形態の照明器具１０によれば、第１反射板１６の第１反射面２３により反射されたＬＥＤ１５からの反射光成分α２が、第１反射面２３のパラボラ曲面により書架１の間の通路２に向けて効率よく照射されるために、ＬＥＤ１５からの光を、通路２に対して高い照度で照射できる。
【００２１】
なお、本発明の照明器具において器具本体，ＬＥＤユニット，前面パネル等は、前述した一実施形態に限定されるものでなく、適宜な変形や改良等が可能である。
【符号の説明】
【００２２】
１  書架
２  通路
１０  照明器具
１１  アーム
１２  灯具
１５  ＬＥＤ
１６  第１反射板
１７  第２反射板
【図１】
2012094300.tif 000003
【図２】
2012094300.tif 000004
【図３】
2012094300.tif 000005
【図４】
2012094300.tif 000006
【図５】
2012094300.tif 000007